(57)【要約】【課題】            書込済データと後続追記データとを円滑に連続再生することを可能となる記録媒体への記録形態を採ることのできる情報記録装置を提供すること。【解決手段】        ＰＬＬ回路７０を用いてウォブル信号に同期した書込用クロック信号ＷＣＫを生成する。又、ＣＰＵ９から出力されるシンクフレーム同期情報の検出信号ＳＤをトリガーとし、シンク付加回路８５にてクロック信号ＷＣＫを計数し、各シンクフレームのヘッダに記録される同期信号ＳＹを生成する。書込実行前に、同期信号ＳＹに基づいて三角波生成回路８１により三角波を生成し、三角波をサンプルホールド回路８２によりプリピット信号でサンプルホールドする。ホールド出力をＬＰＦ８３を介してＰＬＬ回路７０内の移相回路７５のバリキャップに供給し、同期信号ＳＹのパルスの中心にプリピット信号が位置するように、書込用クロック信号ＷＣＫの位相を調整する。【選択図】          図６
2005174548.tif 000002
【特許請求の範囲】
【請求項１】
単位ブロック間隔の整数倍の間隔でプリピットが形成された記録媒体に、単位ブロック間隔で同期パルスを付加しながら記録情報を記録すると共に、既に記録された前記記録情報に継続する新たな前記記録情報を追加記録可能な情報記録装置であって、
回転する前記記録媒体から得られる基準信号に基づいて記録用クロック信号を生成させるクロック信号生成手段と、
前記プリピットを検出して検出パルスを生成させるプリピット検出手段と、
前記クロック信号に基づく同期パルスを生成させる同期パルス生成手段と、
前記検出パルスと前記同期パルスの位相差を検出する位相差検出手段と、
検出した前記位相差が所定の基準値となるように前記クロック信号の位相を調整する位相調整手段と、
を備えることを特徴とする情報記録装置。
【請求項２】
前記基準信号と前記記録用クロック信号との同期を取ると共に互いの信号の位相差を可変とするフィードバック制御手段を備え、
前記位相調整手段は、前記検出パルスと前記同期パルスの位相差に応じて前記フィードバック制御手段の位相差についての制御量を調整する手段である、
ことを特徴とする請求項１に記載の情報記録装置。
【請求項３】
前記基準信号と前記検出パルスとの位相差が所定の基準値になるように前記基準信号の位相を調整し、前記基準信号の読み取り誤差を除去する誤差除去手段を更に備え、前記位相調整手段は、前記誤差除去手段の位相調整量を、前記検出パルスと前記同期パルスの位相差に応じて調整する手段である、
ことを特徴とする請求項１に記載の情報記録装置。
【発明の詳細な説明】
【技術分野】
【０００１】
本発明は、情報記録装置の技術分野に属するものであり、特に、同一箇所に一度だけ
情報を書き込めるライトワンス（ＷＯ：Write Once）型や同一箇所に何度も情報を書き直せるリライタブル（ＲＷ：Rewritable）型の光ディスクの如き追加記録可能な記録媒体に情報を記録する情報記録装置の技術分野に属する。
【背景技術】
【０００２】
この種の情報記録装置においては、追加記録可能ディスクに情報データを書き込む場合、書き込むべき情報データに同期化を施しつつ、その情報データを書き込むための書込用クロック信号を生成する。換言すれば、生成した安定な所為周波数の書込用クロック信号に同期（例えば、いわゆるビット同期）をとりつつ情報データをディスクに書き込むのが通常である。この書込用クロック信号は、一般には、単独で発振出力可能な例えば水晶発振器等の基準クロック発生器から発生される。
【発明の開示】
【発明が解決しようとする課題】
【０００３】
しかしながら、既に情報データが一部または部分的に書き込まれているディスクに対して、その書込済みの情報データに引き続いて新たな情報データを書き込む追記または追加記録をなす場合、書込済みの情報データに使われた書込用クロック信号と新たな情報データに用いられる書込用クロック信号との間で位相の違いが生ずる可能性がある。
【０００４】
この場合、新データ記録後に得られるディスクを読み取って、かかる前後の情報データを連続再生する動作において、当該前後の情報データの結合部近傍では、当該ディスクの読取データの同期用クロック信号を再生するのにしばしば困難となることがある。
【０００５】
特に、或る１つの情報記録装置により情報データの書き込まれたディスクに対して、他の情報記録装置により追記を行った場合などは、これら情報記録装置が同種のものであったとしても、別個の発生源から各記録時において書込用クロック信号が生成されることとなり、位相のみならず周波数の異なる書込用クロック信号にて先行情報データとその後続情報データとが書き込まれてしまうことを否定できない。
【０００６】
読取データの同期用クロック信号の再生には、読取信号を入力とするＰＬＬ（Phase Locked Loop）回路が用いられるが、位相や周波数において大差のある書込用クロック信号にて先行及び後続の情報データが記録されたディスクは、かかる先行データと後続データとの結合部近傍においてＰＬＬ回路の同期動作を大きく乱すこととなる。その結果、読取データの同期用クロック信号に基づいて読取データの復号処理を行うデコー
ダは、読取データ中の種々のデータを誤検出してしまうこともある。
【０００７】
また、ディスクに書き込まれるデータは、上述したようなビット同期の他に、所定の情報量を担うデータブロック毎に特定の同期信号が配されるフォーマットを採って再生時の当該データブロックについての同期化がなされるようにされているが、このような特定同期信号にしても、書込用クロック信号に基づいてデータに配置される。従って、上述の如くして生ずる位相や周波数において大差のある書込クロック信号により、先行情報データに最後に配された特定同期信号と後続情報データに最初に配された特定同期信号との間隔が、それより前及び後の間隔に対して大きく相違してしまうこととなり、再生時における特定同期信号の検出不能や誤検出を招きかねない。特に、かかる特定同期信号の検出能力の低いプレーヤにおいては深刻な問題である。
【０００８】
本発明は、このような問題に鑑みてなされたものであり、情報再生時において読取データの同期動作を乱すことなく書込済データとこれに後続して追記されたデータとを円滑に連続再生することを可能とする記録媒体への記録形態を採ることのできる情報記録装置を提供することにある。
【課題を解決するための手段】
【０００９】
請求項１に記載の情報記録装置は、前記課題を解決するために、単位ブロック間隔の整数倍の間隔でプリピットが形成された記録媒体に、単位ブロック間隔で同期パルスを付加しながら記録情報を記録すると共に、既に記録された前記記録情報に継続する新たな前記記録情報を追加記録可能な情報記録装置であって、回転する前記記録媒体から得られる基準信号に基づいて記録用クロック信号を生成させるクロッ
ク信号生成手段と、前記プリピットを検出して検出パルスを生成させるプリピット検出手段と、前記クロック信号に基づく同期パルスを生成させる同期パルス生成手段と、前記検出パルスと前記同期パルスの位相差を検出する位相差検出手段と、検出した前記位相差が所定の基準値となるように前記クロック信号の位相を調整する位相調整手段とを備えることを特徴とする。
【００１０】
請求項１に記載の情報記録装置によれば、記録媒体を回転させ、記録媒体に記録された情報を読み取ることにより、基準信号が得られる。また、クロック信号生成手段により、この基準信号に基づく記録用クロック信号が生成される。従って、前記基準信号が常に一定の特性を示すように、例えば一定の周波数となるように記録媒体の回転を制御することにより、常に一定の周波数の記録用クロック信号が生成されることになる。その結果、追加前の記録情報と追加後の記録情報が同じ記録用クロック信号により記録されることになり、追加の前後において連続した再生が行われることになる。但し、追加前に用いた記録用クロック信号と追加時に用いる記録用クロック信号との間には位相差が生じることがある。そこで、プリピット検出手段により生成したプリピットの検出パルスと、同期パルス生成手段により生成した前記クロック信号に基づく同期パルスとの位相差を、位相差検出手段により検出し、検出した前記位相差が所定の基準値となるように、位相差調整手段により前記クロック信号の位相を調整する。従って、単位ブロック間隔で付加される前記同期パルスは、プリピットに対して常に一定の位置に設けられることになり、追加前の記録情報における同期パルスの間隔、及び追加後の記録情報における同期パルスの間隔、並びに追加前と追加後の接続部における同期パルスの間隔は何れも等しくなり、同期パルスを検出しながら行われる再生が追加前の記録情報から追加後の記録情報に至るまで円滑に行われることになる。また、同期パルスは記録用クロック信号に基づいて生成されるものであるため、同期パルスと検出パルスの位相差を所定の基準値に保つことにより、記録用クロック信号の位相が追加前の記録と追加後の記録で揃えられることになる。従って、追加前と追加後の双方において、周波数が等しくかつ、位相の揃った記録用クロック信号により記録が行われることになり、追加前から追加後に至るまで誤検出のない良好な記録情報の読み出しが行われる。
【００１１】
請求項２に記載の情報記録装置は、前記課題を解決するために、請求項１に記載の情報記録装置において、前記基準信号と前記記録用クロック信号との同期を取ると共に互いの信号の位相差を可変とするフィードバック制御手段を備え、前記位相調整手段は、前記検出パルスと前記同期パルスの位相差に応じて前記フィードバック制御手段の位相差についての制御量を調整する手段であることを特徴とする。
【００１２】
請求項２に記載の情報記録装置によれば、フィードバック制御手段により、記録用クロック信号は基準信号に対して同期取りされる。そして、位相調整手段は、前記検出パルスと前記同期パルスの位相差が所定の基準値となるように、フィードバック手段の位相差についての制御量を調整するので、記録用クロック信号は基準信号と同期取りされるだけでなく、基準信号に対する位相が揃えられる。従って、常に一定の周波数で位相の揃った記録用クロック信号により記録が行われることになる。その結果、再生時においては、追加前の記録情報から追加後の記録情報に至るまで、誤検出を起こすことなく、かつ、連続性の保たれた円滑な再生が行われることになる。
【００１３】
請求項３に記載の情報記録装置は、前記課題を解決するために、請求項１に記載の情報記録装置において、前記基準信号と前記検出パルスとの位相差が所
定の基準値になるように前記基準信号の位相を調整し、前記基準信号の読み取り誤差を除去する誤差除去手段を更に備え、前記位相調整手段は、前記誤差除去手段の位相調整量を、前記検出パルスと前記同期パルスの位相差に応じて調整する手段であることを特徴とする。
【００１４】
請求項３に記載の情報記録装置によれば、誤差除去手段により、前記基準信号と前記検出パルスとの位相差が所定の基準値になるように前記基準信号の位相が調整され、前記基準信号の読み取り誤差が除去される。すなわち、前記基準信号は常にプリピットを基準にして位相の揃った信号となる。そして、位相調整手段は、前記検出パルスと前記同期パルスの位相差が所定の基準値となるように、前記誤差除去手段の位相調整量を調整するので、基準信号は追加記録の前後に拘わりなく常にプリピットに対して位相の揃った信号となり、このような基準信号に基づいて生成される記録用クロック信号も、常に一定の周波数で位相の揃った記信号となる。その結果、再生時においては、追加前の記録情報から追加後の記録情報に至るまで、誤検出を起こすことなく、かつ、連続性の保たれた円滑な再生が行われることになる。
【発明の効果】
【００１５】
本発明の情報記録装置によれば、情報再生時において読取データの同期動作を乱すことなく書込済データとこれに後続して追記されたデータとを円滑に連続再生することを可能とする記録媒体への記録形態を採ることができる。
【発明を実施するための最良の形態】
【００１６】
以下、本発明の実施の形態を図面を参照しつつ詳細に説明する。先ず、追加記録可能な記録媒体の１つとしてのＤＶＤ−Ｒ（Digital Video Disk-Recordable）に情報を書き込む際の一般的な物理フォーマットについて、図１乃至図３を用いて説明する。
【００１７】
ＤＶＤ−Ｒに対して行われる誤り訂正処理は、ＥＣＣ（Error Correction Code）ブロックをその誤り単位として行われる。かかるＥＣＣブロックは、図１に示されるデータセクタを基にして形成される。
【００１８】
ＤＶＤ−Ｒに記録される原情報は、図１の如きデータセクタ２０を複数個含む物理構造を成して構成される。１つのデータセクタ２０は、その先頭から、データセクタ２０の開始位置を示すＩＤ情報２１と、当該ＩＤ情報２１の誤りを訂正するためのＩＤ情報誤り検出コード（ＩＥＤ：ID Error Detection Code）２２と、予備データ２３と、映像や音声またはコンピュータデータ等の当該ディスクに本来記録すべき主たる情報を担うデータ２４と、データ２４におけるエラーを検出するためのエラー検出コード（ＥＤＣ：Error Detection Code）２５とが順に配されたブロックデータにより構成される。ＤＶＤ−Ｒにおいては、このデータセクタ２０が複数連続することにより記録すべき原情報が構成され
る。
【００１９】
このようなデータセクタ２０は、図２のようにしてＥＣＣブロックの構築に使用される。
【００２０】
初めに、図２（Ａ）に示されるように、１つのデータセクタ２０を１７２バイト毎に分割し、分割されたデータ（以下、これをデータブロック３３と称する）をそれぞれ垂直方向に並べる。そうすると、垂直方向には１２行のデータブロック３３が並ぶこととなる。
【００２１】
次いで、図２（Ｂ）に示されるように、各データブロック３３に対してそれぞれ１０バイトのＥＣＣ内符号（ＰＩ（Pality In）符号）３１を割り当てる。ＥＣＣ内符号３１が、当該データブロック３３の末尾に付加されることにより、１つの訂正ブロック３４が構成される。この段階では、ＥＣＣ内符号３１を含む訂正ブロック３４が垂直方向に１２行並べられることとなる。そして、このようなＥＣＣ内符号３１の付加処理は、データセクタ２０の１６個分繰り返される。これにより、１９２行の訂正ブロック３４が得られる。
【００２２】
図２（Ｂ）においては更に、上述した如き１９２行の訂正ブロック３４が垂直方向に並べられて形成されるブロックデータに対して、今度は垂直方向に１バイト毎に分割し、分割されたデータに対して１６個のＥＣＣ外符号（ＰＯ：（Pality Out）符号）３２を付加する。なお、ＥＣＣ外符号３２は、前記訂正ブロック３４のうち、ＥＣＣ内符号３１の部分に対しても付加される。
【００２３】
かくして、１６個のデータセクタ２０を含む１つのＥＣＣブロック３０が形成される。なお、以上の説明から判るように、１つのＥＣＣブロック３０が担う総情報量は、
（１７２＋１０）バイト×（１９２＋１６）行＝３７８５６バイト
であり、このうち、情報データ２４は、
２０４８バイト×１６＝３２７６８バイト
となる。
【００２４】
また、図２（Ｂ）においては、ＥＣＣブロック３０を構成する各１バイトのデータに「＃Ｄ．＊」なる採番を施している。例えば、「Ｄ１．０」は第１行第０列に配置されている１バイトのデータを示しており、「Ｄ１９０．１７０」は第１９０行第１７０列に配
置されている１バイトのデータを示している。従って、ＥＣＣ内符号３１は、第１７２列乃至１８１列に配置され、ＥＣＣ外符号３２は第１９２列乃至第２０７行に配置されることとなる。
【００２５】
更に、１つの訂正ブロック３４は、ＤＶＤ−Ｒ上には連続して記録されるので、当該ブロック全体のエラーが発生する可能性がある。しかし、図２（Ｂ）に示すように、ＥＣＣブロック３０は、ＥＣＣ内符号３１とＥＣＣ外符号３２との双方を含むように構成されるので、図２（Ｂ）において水平方向に並んでいるデータの訂正をＥＣＣ内符号３１で行い、図２（Ｂ）において垂直方向に並んでいるデータの訂正をＥＣＣ外符号３２で行うことができる。これにより、図２（Ｂ）に示すＥＣＣブロック３０内においては、水平及び垂直方向における二重の誤り訂正を行うことが可能となり、従来のＣＤ（Compact Disk）等に用いられている誤り訂正処理に比してより強力に誤り訂正ができる。
【００２６】
この点につき詳述すると、例えば、１つの訂正ブロック３４（上述のように、１行分のＥＣＣ内符号３１を含んで計１８２バイトのデータを含み、連続してＤＶＤ−Ｒ上に記録される。）が、全てＤＶＤ−Ｒの外傷等により破壊されたとしても、それを垂直方向から
見ると、１列のＥＣＣ外符号３２に対して１バイトのデータ破壊でしかない。従って、各列に対応するＥＣＣ外符号３２を用いて誤り訂正を行えば、たとえ１つの訂正ブロック３４の全てが破壊されていても、誤り訂正を行って正確に再生することができるのである。
【００２７】
かかるＥＣＣブロック３０のＤＶＤ−Ｒに対する具体的記録形態は、図３に示される。なお、図３において、「Ｄ＃．＊」にて採番された１バイトデータは、図２（Ｂ）において同じく採番されたものと同一である。
【００２８】
ＥＣＣブロック３０は、先ず、図３の最上段に示されるように、訂正ブロック３４毎に水平方向に一列に並べられてインターリーブされる。これにより、図３の２断面に示されるように、１６個のレコーディングセクタ４０に変換される。かかる変換においては、１つのレコーディングセクタ４０は、２３６６バイト（３７８５６バイト÷１６）の情報を含むこととなり、この中には、データセクタ２０、ＥＣＣ内符号３１またはＥＣＣ外符号３２が混在している。但し、各レコードディングセクタ４０の先頭には、データセクタ２０におけるＩＤ情報２１（図１参照）が配置される。
【００２９】
この１つのレコーディングセクタ４０は、図３の３段目に示されるように、９１バイト毎のデータ４１に分割され、それぞれにヘッダＨが付加される。その後、このヘッダ付加状態のレコーディングセクタ４０は、８−１６変調され、図３の最下段に示されるように、データ４１及びそのヘッダ毎にシンクフレーム４２に変換される。変換後は、１つのシンクフレーム４２は、ヘッダＨ’とデータ４３とにより構成されることとなる。また、１つのシンクフレーム４２の情報量は、
９１バイト×８×（１６／８）＝１４５６チャネルビット（但し、シンク情報を含めると１４８８チャネルビット）
となり、このシンクフレーム４２が連続した形態でＤＶＤ−Ｒに書き込まれる。このとき、１つのレコーディングセクタ４０は、２６個のシンクフレーム４２を含むこととなる。
【００３０】
以上説明した物理フォーマットに従って、ＤＶＤ−Ｒに情報を記録することにより、当該情報を再生する際に８−１６復調及びデインターリーブを行えば（図３参照）、元のＥＣＣブロック３０を復元することが出来、上述したような強力な誤り訂正を行って情報を
正確に再生することができる。
【００３１】
かくして、ＤＶＤ−Ｒには、図３の最下段に示されるようなシンクフレーム系列の形態で情報が記録されるが、その記録は、ＤＶＤ−Ｒにおいては予め定められたトラックにおいてなされる。
【００３２】
図４は、かかる情報の記録箇所を担うトラックを含むＤＶＤ−Ｒの記録層の構造を示している。
【００３３】
図４において、ＤＶＤ−Ｒ１は、色素膜５が成膜され前記シンクフレーム系列の情報書込可能なグルーブトラック２と、グルーブトラック２に隣接しかつグルーブトラック２に読取光または書込（記録）光としてのレーザービームＢを誘導させるためのランドトラック３とが形成されている。グルーブトラック２は、レーザービームＢの発生源側から見て凹状にして、ランドトラック３は、導発生側から見て凸状にして、ビームＢを反射するための光反射面としての金蒸着面６を担持するよう形成されている。
【００３４】
グルーブトラック２は、当該ディスクの平坦面に平行な方向に所定の周波数（例えば、当該ディスクの適正回転速度に対応する周波数）で波状にうねる、いわゆるウォブリングが施されている。かかるウォブリングを用いることにより、情報読取時には、当該ディスクの回転制御を行うことが可能である。
【００３５】
ランドトラック３には、ＤＶＤ−Ｒ１の記録位置を示すアドレス情報や記録タイミングを制御するためのタイミング制御情報当の記録制御情報を担うプリピット４が形成される。
【００３６】
かかるグルーブトラック２及びランドトラック３はもとより、前記ウォブリングやプリピット４は、ＤＶＤ−Ｒ１の作製時に予め形成される。付言すれば、ウォブリングやプリピット４は、初めての情報を書き込む前に既に形成（記録）されている既成記録情報を
担うものである。
【００３７】
このような構造を有するＤＶＤ−Ｒ１の情報記録時には、光ビームＢの中心がグルーブトラック２の中心と一致するように光ビームＢがＤＶＤ−Ｒ１に照射されグルーブトラック２に前記シンクフレーム系列に対応するピットが形成される。この時、光ビームＢのスポットＳＰの大きさは、図４に示されるように、当該スポットの一部がランドトラック３にも照射されるように設定される。また、このランドトラック３に照射された光スポットＳＰの一部の反射光を用いてプッシュプル法によりプリピット４が検出されてそのプリピットが示す当該ディスク固有の既成記録情報が取得される。更に、グルーブトラック２に照射されている光スポットＳＰの反射光を用いてグルーブトラック２のウォブリングに応じたウォブル信号を検出し、このウォブル信号に基づいたＤＶＤ−Ｒ１の回転制御が行われる。
【００３８】
グルーブトラック２とこれに書き込まれるシンクフレーム系列のデータ並びにランドトラック３に形成されるプリピット（以下、ＬＰＰ（Land Pre Pit）と称する）４は、図５の如き対応関係とされる。
【００３９】
図５に示されるように、グルーブトラック２には、その中心線に沿って記録情報であるシンフレーム系列のデータが記録される。かかる記録に際しては、グルーブトラック２が呈する８つのウォブリング周期につき１つのシンクフレームが記録されるよう制御される。ウォブリング周波数は、全てのシンクフレームに渡り１４０ｋＨｚ（適正読取レート換算値）一定とされる。
【００４０】
シンクフレームの先頭には、先の図３において説明したように、ヘッダＨ’が配されており、そのヘッダには同期信号ＳＹが先端に割り当てられている。この同期信号ＳＹは、シンクフレームの同期をとるために設けられており、１４Ｔの長さの同一波形シンボルを有する。ここで、Ｔは、図３の３段目に示されるような８−１６変調前のデータ系列におけるピット間隔に相当する。シンクフレームは、１４８８Ｔの長さを有する。
【００４１】
一方、ＬＰＰ４は、図５に上向き矢印に対応する位置に形成される。すなわち、図５においてはグルーブトラック２のウォブリングによって呈される波の山及び谷の一方に対応する位置であってしかもシンクフレームにおける先頭から数えて３つの当該位置に隣接するランドトラック２において形成されるようにしている。但し、１つのレコーディングセクタ（図３参照）においては、偶数番目のシンクフレーム（ＥＶＥＮフレーム）にのみまたは奇数番目のシンクフレーム（ＯＤＤフレーム）にのみＬＰＰ４が形成されるようにしている。図５においてはＥＶＥＮフレームのみＬＰＰ４が形成された場合を示しており、上向き点線矢印に対応する位置にはＬＰＰ４が形成されない。シンクフレームの先頭の最も近くに配されるＬＰＰ４は、同期用に設けられるもので、定められた偶数または奇数番目のフレームに対応して必ず配されるようにしている。かかる同期用ＬＰＰ４は、ＤＶＤ−Ｒの記録面上のアドレス情報を担うものであり、レコーディングセクタ単位でそのアドレス情報が識別される。
【００４２】
本実施形態においては、後述する書込用クロック位相調整回路により、グルーブトラック２に書き込まれるシンクフレームデータ中の同期信号ＳＹの記録位置を、ＬＰＰ４の形成位置に対して常に一定となるように構成されている。
【００４３】
本実施形態による情報記録装置は、以上のような形態で既成記録情報が形成され、且つシンクフレーム系列データが書き込まれるＤＶＤ−Ｒを扱うことのできるものであり、以下、その詳細について説明する。
【００４４】
図６は、かかる情報記録装置の概略構成を示す図である。
【００４５】
図６において、ＤＶＤ−Ｒ１（以下、単にディスクと呼ぶ）は、スピンドルモータ５０により回転されつつ読取光レベル及び書込光レベルの双方にてレーザ光を出力可能な光ヘッドとしてのピックアップ６０によりそのレーザ光が照射される。ディスクに入射したこのレーザ光は、当該ディスクの反射面（図４参照）に達すると共に記録情報に応じた状態の反射光となってピックアップ６０に導かれる。
【００４６】
ピックアップ６０は、受光素子を含む光電変換回路を内蔵しており、ディスクからの反射光を受光し且つその受光レベル及び状態に応じた光電変換をなす。その光電変換出力は、読取信号として再生増幅器６１に供給される。
【００４７】
再生増幅器６１は、供給された読取信号を増幅し、増幅された読取信号を帯域通過フィルタ（ＢＰＦ）６２を介してウォブル検出回路６３及びＬＰＰ（プリピット）検出回路６４に供給する。
【００４８】
ウォブル検出回路６３は、読取信号から前記ウォブリングに対応した基準信号としてのウォブル信号を検出または抽出し、これをクロストーク除去回路６
５の一入力に供給する。
【００４９】
プリピット検出手段としてのＬＰＰ検出回路６４は、読取信号から前記プリピット４を検出し、その検出結果に応じたプリピット信号を生成する。プリピット信号は、クロストーク除去回路６５の他入力に供給されると共に、プリピット（ＬＰＰ）デコーダ６６に供
給される。
【００５０】
誤差除去手段としてのクロストーク除去回路６４は、ウォブル信号に含まれるクロストークに起因したジッタ成分をプリピット信号に基づいて除去する機能を有し、除去後のウォブル信号を、ウォブル同期クロック生成用ＰＬＬ回路７０に供給する。得られるウォブル信号は、時間軸上、スピンドルサーボ等の時間軸サーボでは取りきれない残留エラーに基づくプリピット信号の検出精度に依存した精度を持つこととなる。別言すれば、得られるウォブル信号は、残留エラーによるプリピット信号の誤差（±５Ｔ程度）を含むということである。
【００５１】
ＰＬＬ回路７０は、クロストーク除去されたウォブル信号を一入力としてこれを他入力信号と位相比較し両者の位相差に応じた誤差信号を出力する位相比較回路（ＰＣ）７１と、誤差信号の低周波成分を通過せしめる低域通過フィルタ（ＬＰＦ）７２と、バリキャップを含んで構成され、後述する書込用クロック位相調整回路８０からの位相調整信号に基づいて位相差分のＤＣ成分をバリキャップに印加することにより、バリキャップの静電容量を変化させ、位相を遅れ側または進み側にシフトさせる位相調整手段としての移相回路（ＰＳ）７５と、移相回路７５を介して供給される低域通過フィルタ７２の出力に応じて発振周波数を変化させるＶＣＯ７３と、ＶＣＯ７３の発振出力クロック信号を分周してウ
ォブル信号と同等の周波数の信号を生成し位相比較回路７１の他入力に供給する分周器７４とによって構成される。このＶＣＯ７３の出力クロック信号が、書込用クロック信号ＷＣＫとして用いられる。従って、書込用クロック信号ＷＣＫは、ＰＬＬ回路７０によってウォブル信号と位相同期がとられ、後述するエンコーダ９１及びシンク付加回路８４に供給される。ＰＬＬ回路７０は、クロック信号生成手段に対応する。
【００５２】
再生増幅器６１からの増幅された読取信号は、また、主データデコーダ６７、ピットクロック再生回路６８及びシンク検出回路６９に供給される。
【００５３】
主データデコーダ６７は、読取信号に対して、８−１６復調やデインターリーブのデータ処理を含み、且つＥＣＣブロックから誤り訂正処理を行いつつデータ２４を復元する処理を施し（図１乃至図３参照）、復元されたデータは、ＣＰＵ９に転送される。ＣＰＵ９は、この転送された復元データを、実際の音響出力や映像出力またはデータ出力をなすための図示せぬ再生データ処理系に送る。これに対しＬＰＰデコーダ６６は、検出されたプリピット信号から、ディスクの記録面における記録位置を示すアドレス情報やシンクフレーム同期情報を検出し、これらをＣＰＵ９に送る。ＣＰＵ９は、このプリピット信号に基づくアドレス及びシンクフレーム同期情報を使って、種々の処理を行う。
【００５４】
クロック再生回路６８は、読取信号が担うデータのビット同期用クロック（周期Ｔを有する）を再生するものであり、読取信号に含まれる同期信号ＳＹ（図５参照）を検出することにより行われる。このクロック再生回路６８の出力は、再生クロックＲＣＫとして
ＣＰＵ９に供給される。
【００５５】
シンク検出回路６９は、読取信号に含まれる同期信号ＳＹを検出し、その検出に応答して例えばパルス状のシンク検出信号ＳＹ’を発生する。かかるシンク検出信号ＳＹ’は、ＣＰＵ９に供給される。
【００５６】
ＥＣＣ付加回路８４は、書き込むべきデータの原信号に上述したＥＣＣ内符号３１やＥＣＣ外符号３２を付加してＥＣＣブロック３０を構成すると共に、当該ＥＣＣブロック３０に対してインターリーブを施す処理を行う。書き込むべきデータの原信号は、図示せぬ書込データ供給系からＣＰＵ９の内蔵メモリ９ｍに一旦格納され、ＣＰＵ９が判断した所定のタイミングで順次読み出され、ＥＣＣ付加回路８４に転送される。
【００５７】
同期パルス生成手段としてのシンク付加回路８５は、書込用クロック信号に同期して計数を行うと共に、ＬＰＰデコーダ６６からの出力に基づきＣＰＵ９から出力される検出シンクフレーム信号ＳＤをトリガーとして動作を開始するカウンタを備えており、所定周期毎に１４Ｔに相当する長さの書込用の同期信号ＳＹを生成しエンコーダ９１に出力する回路である。また、シンク付加回路８５には、バッファが備えられており、前記ＥＣＣ付加回路８４から出力されるインターリーブの施されたデータは一旦バッファに格納され、書込用クロック信号ＷＣＫに同期してエンコーダ９１に転送される。バッファ内のデータは転送は、書込用の同期信号ＳＹの出力後に行われるため、エンコーダ９１に対して供給されるデータは、図３の３段目に示されるように、ヘッダＨとして同期信号ＳＹが付加された９１バイト毎のデータとなる。また、シンク付加回路８５には、後述する位相調整回路８０の三角波生成回路８１に対する同期信号ＳＹの出力経路が設けられており、この出力経路からは、前記検出シンクフレーム信号ＳＤのトリガー入力後において、書込動作が行われているか否かに拘わらず、同期信号ＳＹが出力される。そして、ＣＰＵ９から書込動作の開始を示す書込スタートパルス信号ＳＰが出力されると、この書込スタートパルス信号ＳＰをトリガーとして、書込用の同期信号ＳＹ及び前記９１バイト毎のデータをエンコーダ９１に出力する。
【００５８】
エンコーダ９１は、シンク付加回路８５から出力されたディスクへ書き込むべきデータの終段符号化を行う。ここでは先の図３に参照されるような８−１６変調をなすための符号変換がなされる。エンコーダ９１により最終的に符号化されたデータは、パワー制御回路９２に送られる。
【００５９】
パワー制御回路９２は、書込モードにおいて、エンコーダ９１から送られた符号化データに応じたレーザーパワーを指定するための制御信号を発生し、レーザー駆動回路９３は、この制御信号に応じた実際のピックアップ光源レーザーに即したレベルの駆動信号を発する。これにより、ピックアップ６０がディスクに照射する記録（書込）用レーザー光の強度は、符号化データに対応して変化せしめられることとなる。これに対し読取モードにおいては、パワー制御回路９２は、エンコーダ９１から送られた符号化データには応じず、読取用の低レベルかつ略一定なレーザーパワーを指定するための制御信号を発生し、レーザー駆動回路９３は、この制御信号に応じた実際のピックアップ光源レーザーに即した
レベルの駆動信号を発する。これにより、ディスクは、ピックアップ６０の照射する一定な低レベルの読取用レーザー光によって読み取られることになる。
【００６０】
ウォブル検出回路６３の出力ウォブル信号はまた、既述したように、ディスクの回転制御にも使用される。具体的には、図示せぬ局部発振器より供給された基準クロック信号を一方の入力とする位相比較器５１の他方の入力に、ウォブル信号が供給されける。位相比較器５１は、２つの入力の周波数誤差及び位相誤差を得、これに応じたスピンドル制御信号をドライバー回路５２に供給し、ドライバー回路５２は、スピンドル制御信号に応じたモータ５０の駆動信号を発生する。これにより、読取信号から検出されるウォブル信号の周波数が基準クロック信号の周波数に一致するようにモータ５０の回転制御がなされることとなる。
【００６１】
位相差検出手段としての位相調整回路８０は、シンク付加回路８５から出力される書込用の同期信号ＳＹの立ち下がりエッジから三角波を生成する三角波生成回路８１と、この三角波をＬＰＰ信号の出力タイミングでサンプリングし、ホールドするサンプルホールド（Ｓ／Ｈ）回路８２と、サンプルホールド回路８２の出力をＤＣ成分にした後、上述したＰＬＬ回路の移相回路７５のバリキャップにそのＤＣ成分を出力するローパスフィルター（ＬＰＦ）８３から構成されている。書込用クロック信号ＷＣＫに同期して生成される書込用の同期信号ＳＹのＬＰＰ信号に対する位相がずれ、同期信号ＳＹの中心がＬＰＰ信号の出力タイミングに一致しない場合には、この位相差に応じた電圧がＰＬＬ回路７０の移
相回路７５のバリキャップに供給され、同期信号ＳＹの中心がＬＰＰ信号の出力タイミングに一致するように、書込用クロック信号ＷＣＫの位相が調整される。
【００６２】
次に、この情報記録装置の動作について説明する。
【００６３】
図７は、図６に示される情報記録装置の、ディスクに既に書き込まれている一連の書込済データ（以下、旧データと言う）に対しこれに改めてデータ（以下、新データと言う）を後続させ追加して書き込む追加記録モードにおける各部動作波形及び動作形態を示すタイムチャートである。
【００６４】
本実施形態においては、図７の（Ａ）段に示されるように、旧データの書き込み終了時に、当該旧データの最終ＥＣＣブロック３０Ｅの次に配されるべきＥＣＣブロック３０Ｔの先頭レコーディングセクタ４０Ｔにおける第１シンクフレーム４２Ｆ及び第２シンクフレーム４２Ｓの全データ部に対応するダミーデータ（以下、旧ダミーデータと言う）４４を、同期情報ＳＹ及び対応するＩＤ情報２１と共に当該旧データに続けて記録する。
【００６５】
このような形態でなされた旧データ書込済のディスクに対して、図示せぬ指令手段から追加記録開始指令が発せられると、ＣＰＵ９は、図８及び図９に示されるような追加記録処理を実行する。
【００６６】
すなわちＣＰＵ９は、追加記録開始指令に応答して、先ず、読取モードを開始させる（ステップＳ１）。この処理においては、ＣＰＵ９は、エンコーダ９１からの尿力データに応ずることなくピックアップ６０のディスク１への照射光の強度が当該記録面の書込作用を生じさせない程度の比較的低い一定の読取光レベルとなるようにパワー制御回路９２を制御する。
【００６７】
次いで、ＣＰＵ９は、旧データのうち、最後の旧データが記録されているレコーディングセクタ４０Ｅの先頭側ＩＤ情報２１を検索するため、当該ＩＤ情報２１に対応する番地であるＮ番地をサーチする（ステップＳ２）。この処理は、デコーダ６７の出力信号に基
づいて実行される。
【００６８】
なお、ここでは、旧データのうち、最後のＥＣＣブロック３０Ｅにおける最後のレコーディングセクタ４０Ｅのデータの先頭側に配されたＩＤ情報２１が示す番地がＮ番地であるとし、それに引き続いて旧ダミーデータ４４が記録されているレコーディングセクタ４０Ｔの先頭側に配されたＩＤ情報２１が示す番地が（Ｎ＋１）番地であるとしている。
【００６９】
Ｎ番地に対応するＩＤ情報２１が検出されると（図７の時刻ｔ１参照）、当該Ｎ番地に対応するＩＤ情報２１に引き続いてレコーディングセクタ４０Ｅに記録されているデータ及びその後続レコーディングセクタ４０Ｔのデータの読み取りを開始する（ステップＳ
３）。
【００７０】
そして、ＣＰＵ９は、（Ｎ＋１）番地に対応するＩＤ情報２１が検出されたか否かを、読取データの復調出力すなわちデコーダ６７の出力信号に基づいて判定する（ステップＳ４）。ステップＳ４において、（Ｎ＋１）番地に対応するＩＤ情報２１が検出されない場合は、それが検出されるまでデータの読み取りを継続する。
【００７１】
ステップＳ４において（Ｎ＋１）番地に対応するＩＤ情報２１が検出された場合（図７の時刻ｔ２参照）、ＣＰＵ９は、今度は検索目標を当該（Ｎ＋１）番地のＩＤ情報２１に対応するレコーディングセクタ４０Ｔにおける第２シンクフレーム４２Ｓとして、さらに進行して得られる読取データに基づいて検索を行う（ステップＳ５）。より詳しくは、ＣＰＵ９は（Ｎ＋１）番地のＩＤ情報２１検出後における当該第２シンクフレーム４２Ｓ先頭の同期信号の検出信号ＳＹ’をシンク検出回路６９より受信し、その受信タイミングをもって当該第２シンクフレーム４２Ｓの到来を検知するのである。
【００７２】
こうして第２シンクフレーム４２Ｓが検知されると（図７の時刻ｔ３参照）、ＣＰＵ９は、クロック再生回路６８からの再生クロックＲＣＫのカウントを開始する（ステップＳ６）。
【００７３】
そして、このカウント値が１シンクフレーム分に相当する１４８８Ｔに達したか否かが判定され（ステップＳ７）、１４８８Ｔに達した場合には、シンク付加回路８５に対して書込スタートパルスＳＰを出力すると共に（図７の時刻ｔ４参照）、制御モードを書込
モードに切り換える（ステップＳ８）。この処理においては、ＣＰＵ９は、エンコーダ９１からの入力データに応じて、ディスク記録面に書込作用を生じ得る書込光レベルとそうではない読取光レベルとの間でピックアップ６０のディスク１への照射光の強度を変化させるような記録モードにパワー制御回路９２を制御する。
【００７４】
これにより、エンコーダ９１の出力データのうち、図７の（Ｅ）段に実線で示されるような第３シンクフレーム以降のデータがパワー制御回路９２に取り込まれディスク１に記録されることとなる。図７（Ｅ）段に点線で示されるエンコーダ９１の出力データは、パワー制御回路９２に転送されるものの読取モードが設定されているが故に、パワー制御回路９２の出力に反映されていないことを示している。なお、データを書き込まないときでもピックアップ６０の照射光を再生パワーに設定し続けるのは、ディスク上の情報記録トラック（グルーブトラック）をトラッキングするためトラッキングサーボ制御用の反射光が必要であるからである。
【００７５】
また、書込スタートパルスＳＰがシンク付加回路８５に出力されると、シンク付加回路８５から書込用の同期信号ＳＹ及び９１バイトごとのデータが書込用クロック信号ＷＣＫに同期してエンコーダ９１に転送され、エンコーダ９１においても書込用クロック信号ＷＣＫに同期して８−１６変調及び変調後のデータのパワー制御回路９２への転送が行われることになる。そして、この書込用クロック信号ＷＣＫは、クロストーク除去回路６５によりクロストークが除去されたウォブル信号に対して、ＰＬＬ回路７０により同期が取られた信号であり、更に、位相調整回路８０により、同期信号ＳＹの中心（パルス幅をＴとする時、Ｔ／２の位置）がＬＰＰ信号の中心（パルス幅をＴ’とする時、Ｔ’／２の位置）が一致するように、位相が調整された信号であるため、新データの同期信号ＳＹは、正確に追記位置（図７に示す時刻ｔ４のタイミングで示される位置）に記録さ
れる。
【００７６】
ここで、このように書込用クロック信号ＷＣＫの位相調整を行う回路の動作を図６のブロック図及び図９のタイミングチャートに基づいて詳しく説明する。
【００７７】
まず、書込用クロック信号ＷＣＫの基準となる信号であるウォブル信号は、図６に示すようにウォブル検出回路６３により検出される。しかし、ウォブル検出回路６３により検出されたウォブル信号は、図９（Ａ）に示すように、クロストークによるジッタを有する信号である。そこで、本実施形態では、このようなクロストークをクロストーク除去回路６５によって除去している。このクロストーク除去回路６５は、図１１に示すように、ジッタを有するウォブル信号を分周する分周器１００と、分周されたウォブル信号とＬＰＰ信号との位相を比較する位相比較部１０１と、位相比較部１０１の出力信号を平滑化するイコライザ１０２と、イコライザ１０２の出力に応じて分周されたウォブル信号の位相をシフトする位相シフタ１０３とから構成される。図９（Ａ）に示すようなジッタを有するウォブル信号を分周器１００による分周すると、ウォブル信号はパルス状波形に成形され位相比較部１０１に入力される。位相比較部１０１においては、パルス状のウォブル信号とＬＰＰ信号との位相が比較され、これらの位相関係が図５に示すグルーブトラック２とＬＰＰ４との位相関係を保つ場合、すなわちパルス状のウォブル信号のＨｉｇｈの期間の中央位置にＬＰＰ信号が位置する場合には、出力電圧値を変化させず、ウォブル信号がＬＰＰ信号に対してこのような適正位置にない場合には、パルス状のウォブル信号の位相をＬＰＰ信号に対して進み位相または遅れ位相とするように出力電圧値を変化させる。この出力電圧値の変化は、イコライザ１０２によって平滑化され、位相シフタ１０３に供給される。位相シフタ１０３は、パルス状のウォブル信号の位相をイコライザ１０２の出力
電圧に応じて変化させ、その結果、パルス状のウォブル信号は、図９（Ｃ）に示すように、ウォブル信号のＨｉｇｈの期間の中央位置にＬＰＰ信号が位置するような位相に揃えられ、クロストーク除去回路６５から出力される。
【００７８】
ＰＬＬ回路７０には、このようにしてクロストークによるジッタが除去され、ＬＰＰ信号に対して位相の揃えられたウォブル信号が入力される。ＰＬＬ回路７０においては、このようなウォブル信号と、書込用クロック生成回路（ＶＣＯ）７３からの出力を分周器７４によってＮ分周した信号とを、位相比較回路（ＰＣ）７１にて位相比較する。図９（Ｅ）に分周器７４の出力信号を、また、図９（Ｆ）に位相比較回路７１の出力信号の例を示す。そして、位相比較回路７１の出力はＬＰＧ７２にて図９（Ｇ）に示すようにＤＣ成分として抽出され、このＤＣ成分が移相回路７５を介して書込用クロック生成回路７３に供給され、前記ウォブル信号と前記Ｎ分周された書込用クロック信号との位相差が所定の基準値になるように調整される。このようなＰＬＬ回路７０により、書込用クロック信号生成回路７３から出力される書込用クロック信号ＷＣＫは、図９（Ｄ）に示すようにクロストークによるジッタが除去されたウォブル信号に対して同期が取られた信号となり、シンク付加回路８５あるいはエンコーダ９１に供給されることになる。従って、旧データを書込む場合または新データを書込む場合とに拘わらず、常に一定の周波数の書込用クロック信号ＷＣＫにより書込みを行うことができる。
【００７９】
本実施形態では、更に、書込用クロック信号ＷＣＫに同期した書込用の同期信号ＳＹと、ＬＰＰ信号の間隔をほぼ一定にするため、前記ＰＬＬ回路７０内に移相回路７５を設け、位相調整回路８０により移相回路７５を制御するように構成した。
【００８０】
位相調整回路８０においては、図９（Ｆ）に示すようにシンク付加回路８５から出力される書込用の同期信号ＳＹが、三角波生成回路８１に供給される。三角波生成回路８１においては、同期信号ＳＹの立ち下がりエッジに同期して図９（Ｈ）に示すような三角波が出力される。この三画波はサンプルホールド回路８２に供給され、図９（Ｈ）に示すようにＬＰＰ検出回路６４から出力されるＬＰＰ信号のパルス幅に相当する期間においてサンプリングされ、この期間にサンプリングされた電圧がホールドされる。そして、このホールドされた電圧は、ＬＰＦ８３により図９（Ｊ）に示すようにＤＣ成分化され、ＰＬＬ回路７０の書込クロック信号生成回路７３の前段に設けられた移相回路７５のバリキャップに供給される。
【００８１】
同期信号ＳＹは、シンク付加回路８５において、ＣＰＵ９から出力される検出シンクフレーム信号ＳＤをトリガーとして、カウンタにより所定周期毎に出力される信号である。また、トリガーとなる検出シンクフレーム信号ＳＤは、ＬＰＰデコーダ６６により検出されたＬＰＰ信号に基づくシンクフレーム同期情報をＣＰＵ９からパルス信号として出力したものである。つまり、ＣＰＵ９は、ＬＰＰデコーダ６６からシンクフレーム同期情報を受け取ると、これをトリガーとして書込用クロック信号ＷＣＫを計数し、一定周期Ｔ１で検出シンクフレーム信号ＳＤを出力し、シンク付加回路８５においては検出シンクフレーム信号ＳＤをトリガーとして書込用クロック信号ＷＣＫを計数して一定周期Ｔ２毎に同期信号ＳＹを出力する。従って、ＬＰＰ４と検出シンク信号ＳＤと同期信号ＳＹとの間には図１０に示すような関係がある。特に、シンク付加回路８５における計数値は、同期信号ＳＹのパルスの中央にＬＰＰ信号が位置するように設定されている。従って、書込用クロック信号の位相のずれが生じていない場合には、ＬＰＰ信号は同期信号ＳＹの中央に位置し、サンプルホールド回路８２の出力は、三角波のピーク・ピーク電圧に対する中間値をとることになる。そこで、本実施形態では、この中間値を基準値として、この基準値に対応するＬＰＦ８３の出力電圧がＰＬＬ回路７０の移相回路７５におけるバリキャップに供給された場合には、書込用クロック信号の位相は変化しない。しかし、何等かの原因で書込用クロック信号の位相が進んだ場合には、サンプルホールド回路８２の出力は、前記基準値よりも小さくなり、バリキャップには、基準電圧よりも小さな大きな電圧が供給されるため、バリキャップの静電容量が増大し、書込用クロック信号ＷＣＫの位相を遅らせる。また、逆に書込用クロック信号の位相が遅れた場合には、サンプルホールド回路８２の出力は、前記基準値よりも大きくなり、バリキャップには、基準電圧よりも大きな電圧が供給されるため、バリキャップの静電容量が増大し、書込用クロック信号ＷＣＫの位相を進ませる。このようにして、同期信号ＳＹは、ＬＰＰ信号に対して常に一定の位置になるようにシンク付加回路８５から出力され、記録媒体に書き込まれるので、新データの追記位置である図７に示す時刻ｔ４で示される位置に正確に書き込まれることになる。また、新データだけでなく、旧データについても同様にして同期信号ＳＹが書きまれるので、各シンクフレーム間における同期信号の間隔は、旧データエリア、及び新データエリア、並びに旧データエリアと新データエリアの接続部において、常に一定であり、同期信号の検出能力の低いプレーヤにおいても検出不能や誤検出を起こすことなく、良好に再生を行うことができる。
【００８２】
また、同期信号ＳＹの位置をＬＰＰ信号に対して一定にするということは、書込用クロック信号のＬＰＰ信号に対する位相を常に一定にすることに相当するから、旧データエリアまたは新データエリアの何れのエリアにおいても、書込用クロック信号は位相が揃えられ、かつ、上述したＰＬＬ回路７０により同一の周波数をもった信号であり、読取データの同期用クロック信号である再生クロック信号の再生に用いられるＰＬＬ回路を誤動作させることがない。
【００８３】
また、再生クロック信号の再生は、同期信号ＳＹに基づいて行われるが、上述のように隣り合うシンクフレームにおける同期信号ＳＹの間隔はは常に一定であるので、上述したような再生クロック信号を用いた追加記録位置の算出を正確に行うことができる。
【００８４】
以上のように常に同一の位相及び周波数の書込用クロック信号に基づいて、また、ＬＰＰ信号に対して一定の位置にある同期信号ＳＹを用いて、新データの書き込みが開始された後は、ＣＰＵ９は、エンコーダ９１に転送すべき本来の新データが終了したか否かを判定する（ステップＳ９）。終了していない場合には、そのまま新データの記録を継続し、終了した場合には、記録終了時の最終処理として、当該データの最終ＥＣＣブロック３０の次に配されるべきＥＣＣブロック３０の先頭レコーディングセクタ４０における第１シンクフレーム及び第２シンクフレームの全データ部分に対応するダミーデータ４４を、同期情報ＳＹ及び対応するＩＤ情報２１と共に当該データに続けて記憶する（ステップＳ１０）。この態様は、先述した旧データの記録終了時における処理と同様である。
【００８５】
ステップＳ１３により記録終了時の付加的記録を含め全ての新データに関わる書込が終了すると、ＣＰＵ９は、エンコーダ９１からの入力データに応ずることなくピックアップ６０のディスク１への照射光の強度が一定の読取光レベルとなるようにパワー制御回路９２を制御して読取モードに切り換える（ステップＳ１１）。こうして、新データの追加記録処理が終了する。
【００８６】
以上のように本実施形態によれば、書込済みデータと新データとを円滑に連続記録することができ、読み取りクロック信号の再生や、同期信号の検出において支障を来すことなく、書込済みデータと新データとを円滑に連続再生することができる。
【００８７】
なお、上述した実施形態では、移相回路７５をＰＬＬ回路７０に設けた例について説明したが、本発明はこれに限られるものではなく、移相回路７５を設ける代わりに、図１１に示すようにクロストーク除去回路６５のイコライザ１０２の出力と位相調整回路８０の
ＬＰＦ回路８３の出力を加算器１０４により加算して、位相シフタ１０３に供給するように構成しても良い。このように構成すれば、書込用クロック信号の基準となるウォブル信号の位相を、同期信号ＳＹのＬＰＰ信号に対する位相差に基づいて調整できるので、上述した例と同様の効果を奏することができるだけでなく、回路構成を簡単化することができる。
【００８８】
また、同期信号ＳＹのＬＰＰ信号に対する位置については、ディスクの偏心成分を考えると、同期信号ＳＹの中心にＬＰＰ信号がくるように制御するのが理想的ではあるが、同期信号ＳＹの立ち下がりエッジ（同期信号パルスの前側のエッジ）にＬＰＰ信号がくるように制御しても、ほぼ同様の効果が得られる。
【００８９】
また、上述した実施形態においては、追加記録される先頭レコーディングセクタ４０Ｔの各シンクフレームには新データが格納される如く説明したが、特開平９−２７０１７１号公報に開示されているように、新データに代えてダミーデータを格納するようにしても良い。
【００９０】
また、上述した実施形態においては、記録媒体としてＤＶＤ−Ｒについて主に説明したが、他の追加記録可能な記録媒体に対して本発明は適用可能である。
【００９１】
また、上述した実施形態においては、単位ブロック間隔で付加される同期パルスとしてシンクフレーム同期信号ＳＹを例に挙げたが、シンクフレームとは異なる情報量の所定データブロック毎に配される他の同期信号を同期パルスとして本発明を実現することも可能である。
【図面の簡単な説明】
【００９２】
【図１】ＤＶＤ−Ｒの原記録情報を担うデータセクタの構造を示す図である。
【図２】図１のデータセクタを用いて構築されるＥＣＣブロックの構造を示す図である。
【図３】ＤＶＤ−Ｒに記録されるデータの物理フォーマットを示す図である。
【図４】ＤＶＤ−Ｒの記録層の構造を示す斜視図である。
【図５】ＤＶＤ−Ｒにおけるグルーブトラックとこれに書き込まれるシンクフレーム系列のデータ並びにランドトラックに形成されるプリピットの対応関係を示す模式図である。
【図６】本発明の一実施形態における情報記録装置の概略的構成を示すブロック図である。
【図７】図６の情報記録装置の各部動作波形及び動作形態を示すタイムチャートである。
【図８】図６の情報記録装置におけるＣＰＵによって実行される追加記録処理の手順を示すフローチャートである。
【図９】図６の情報記録装置におけるＰＬＬ回路及び位相調整回路の動作を示すタイムチャートである。
【図１０】図６の情報記録装置に用いられる記録媒体のプリピットと、情報記録装置内で生成される検出シンクフレーム同期信号及び同期信号との関係を示すタイムチャートである。
【図１１】本発明の情報記録装置における位相調整部の他の実施形態を示すブロック図である。
【符号の説明】
【００９３】
１…ＤＶＤ−Ｒ
５０…スピンドルモータ
５１…位相比較器
５２…モータドライバ
６０…ピックアップ
６１…再生増幅器
６２…帯域通過フィルタ
６３…ウォブル検出回路
６４…プリピット検出回路
６５…クロストーク検出回路
６６…プリピットデコーダ
６７…主データデコーダ
６８…クロック再生回路
６９…シンク検出回路
７０…ウォブル同期原書込用クロック生成用ＰＬＬ回路
７１…位相比較回路
７２…低域通過フィルタ
７３…電圧制御型発振器
７４…分周器
８０…書込用クロック位相調整回路
８１…三角波生成回路
８２…サンプルホールド回路
８３…低域通過フィルタ
８４…ＥＣＣ付加回路
８５…シンク付加回路
９…ＣＰＵ
９１…エンコーダ
９２…パワー制御回路
９３…レーザ駆動回路
【図１】
2005174548.tif 000003
【図２】
2005174548.tif 000004
【図３】
2005174548.tif 000005
【図４】
2005174548.tif 000006
【図５】
2005174548.tif 000007
【図６】
2005174548.tif 000008
【図７】
2005174548.tif 000009
【図８】
2005174548.tif 000010
【図９】
2005174548.tif 000011
【図１０】
2005174548.tif 000012
【図１１】
2005174548.tif 000013